(57)【要約】【課題】簡易な工事で動物が進入し易く脱出し難い捕獲空間を形成することができ、且つ捕獲空間に進入した動物の捕獲作業を容易に行うことができる動物捕獲装置を提供する。【解決手段】設置面ＧＬに立設される柵ユニット１０と、柵ユニット１０で周囲を取り囲まれて形成される上方が開放された捕獲空間２と、柵ユニット１０の上端近傍に設けられる傾斜板ユニット２０と、を有し、傾斜板ユニット２０は、柵ユニット１０の上端近傍から捕獲空間２側に向かって延在する平滑板状の上面部２２と、上面部２２の捕獲空間２側の端部２９近傍から斜め下方に延在して柵ユニット１０に達する平滑板状の傾斜部２３と、を有する。捕獲空間２の入口縁部に略平坦な上面部２２が形成されることにより、猿等が捕獲空間２の内部に進入し易くなり、傾斜部２３が形成されることにより、猿等が柵の上部に登れなくなり、脱出が阻止され、作業員が猿等を捕獲する作業が容易になる。【選択図】図３
2018007596.tif 000002
【特許請求の範囲】
【請求項１】
設置面に立設される柵ユニットと、
前記柵ユニットで周囲を取り囲まれることによって前記設置面の上方に形成される上方が開放された捕獲空間と、
前記柵ユニットの上端近傍に設けられる傾斜板ユニットと、を有し、
前記傾斜板ユニットは、前記柵ユニットの上端近傍から前記捕獲空間側に向かって延在する平滑板状の上面部と、前記上面部の前記捕獲空間側の端部近傍から前記柵ユニットに向かって斜め下方に延在して前記柵ユニットに達する平滑板状の傾斜部と、を有することを特徴とする動物捕獲装置。
【請求項２】
前記上面部と前記傾斜部は、前記捕獲空間側の端部近傍において連続していることを特徴とする請求項１に記載の動物捕獲装置。
【請求項３】
前記傾斜板ユニットは、前記柵ユニット若しくは前記柵ユニットを支える支柱の上端近傍に取り外し可能の取り付けられるフレームを有し、
前記上面部及び前記傾斜部は、前記フレームに固定されていることを特徴とする請求項１または請求項２に記載の動物捕獲装置。
【請求項４】
前記傾斜板ユニットは、前記傾斜部の下端から前記柵ユニットに沿って下方に延在する平滑板状の側面部を有することを特徴とする請求項１ないし請求項３の何れか１項に記載の動物捕獲装置。
【請求項５】
側面及び上面が柵で囲まれることによって形成されて前記捕獲空間に扉を介してつながる追込空間を有することを特徴とする請求項１ないし請求項４の何れか１項に記載の動物捕獲装置。
【発明の詳細な説明】
【技術分野】
【０００１】
本発明は、農作物等に被害をもたらす害獣等を捕獲するための動物捕獲装置に関し、特に、猿等のように樹上を移動できる動物の捕獲に好適な動物捕獲装置に関する。
【背景技術】
【０００２】
従来、この種の動物捕獲装置として、柵等で周囲を取り囲むことによって上方が開放された捕獲空間を形成するものが知られている。
例えば、特許文献１には、側面部となる柵ユニット及び扉ユニットを並べることによって形成される上方が開放された捕獲空間を有する獣類捕獲装置が開示されている。このように上方が開放された捕獲空間が形成されることにより、捕獲空間の上方からの動物の進入が可能となる。
【０００３】
また、同文献の獣類捕獲装置では、捕獲空間を取り囲む側面部の上部が捕獲空間側へ曲折されており、当該上部から鉛直下方に向かって捕獲空間内に垂れ壁が延設されている。このような構成により、捕獲空間内に進入した動物が側面部の上方を乗り越えて外部に逃げ出すことを防止できる。
【先行技術文献】
【特許文献】
【０００４】
【特許文献１】特開２０１５−１１２０４０号公報
【発明の概要】
【発明が解決しようとする課題】
【０００５】
しかしながら、上記した従来技術のように捕獲空間の上部から動物を進入させる構成の動物捕獲装置では、捕獲空間への動物の進入を容易にして捕獲数を増やすと共に、進入した動物を捕獲空間内で捕獲する作業を容易にする等のために改善すべき点があった。
【０００６】
具体的には、特許文献１に開示された従来技術のように、側面部の上部を捕獲空間側に曲折して該上部から鉛直下方に垂れ壁を設ける構成では、捕獲空間内に進入した動物を作業員が捕獲する作業が困難であった。
【０００７】
詳述すると、捕獲空間内に進入した動物を作業員が捕獲する際、猿等の動物は、作業員を避けて側面部をよじ登り、側面部とその上部の傾斜部及び垂れ壁で囲まれた空間に入り込んでしまう。前記空間は、動物の脱出を阻止するために必要な高さ（通常２．５ｍから３ｍ程度）に設定されている側面部の上部にあり、作業員の手や捕獲用具が届き難い高さにある。そのため、側面部の上部の前記空間を逃げ回り、または前記空間に留まる動物を捕らえることは容易ではなかった。
【０００８】
例えば、高所まで届く特殊な捕獲用具等を用いて動物を強引に引き摺り下ろす等の方法も考え得るが、動物に過度の恐怖心を与え、不要に傷つけてしまう恐れもあり好ましくない。他方、動物が体力を消耗して前記空間から下方に降りてくるのを待つという方策もあるが、動物を不要に弱らせてしまう点において同様であり、何れにしても好ましくなかった。
【０００９】
また、上記の従来技術では、捕獲空間は平面視で略矩形状の広い空間であったので、動物が側面部に登らなかったとしても、捕獲の作業は容易ではなかった。即ち、動物は、捕獲空間内の地面上を走って逃げ回ることができた。
【００１０】
また、上記の従来技術では、側面部から捕獲空間側の斜め上方に向かって延在する傾斜部の上端から垂直に垂れ壁が形成されているので、側面部の上端となる傾斜部と垂れ壁との交差角は鋭角になっていた。つまり、捕獲空間の入口となる開口の周囲縁部は、上方に向かって鋭角状に尖っており、動物が安定して歩行若しくは留まることができる場所ではなかった。そのため、動物の警戒心が解けず、動物が捕獲空間に進入し難い状況になっていた。
【００１１】
また、捕獲による捕獲対象動物の学習や数の減少があるため、特定の動物を一定の場所で継続的に捕獲することは困難である。そこで、動物捕獲装置は、設置場所や捕獲対象の動物を変えて利用可能であることが望まれ、設置のための組み立てや、撤去時の分解、移動、構成部品の再利用等が容易であることが求められる。
【００１２】
本発明は、上記の事情に鑑みてなされたものであり、その目的とするところは、簡易な工事で動物が進入し易く脱出し難い捕獲空間を形成することができ、且つ捕獲空間に進入した動物の捕獲作業を容易に行うことができる動物捕獲装置を提供することにある。
【課題を解決するための手段】
【００１３】
本発明の動物捕獲装置は、設置面に立設される柵ユニットと、前記柵ユニットで周囲を取り囲まれることによって前記設置面の上方に形成される上方が開放された捕獲空間と、前記柵ユニットの上端近傍に設けられる傾斜板ユニットと、を有し、前記傾斜板ユニットは、前記柵ユニットの上端近傍から前記捕獲空間側に向かって延在する平滑板状の上面部と、前記上面部の前記捕獲空間側の端部近傍から前記柵ユニットに向かって斜め下方に延在して前記柵ユニットに達する平滑板状の傾斜部と、を有することを特徴とする。
【発明の効果】
【００１４】
本発明の動物捕獲装置によれば、捕獲空間の周囲を取り囲む柵ユニットの上端近傍には、傾斜板ユニットが設けられ、前記傾斜板ユニットは、前記柵ユニットの上端近傍から前記捕獲空間側に向かって延在する平滑板状の上面部を有する。即ち、捕獲空間の入口縁部に猿等の動物が歩き易い略平坦で所定の面積を有する上面部が形成される。これにより、猿等は、上面部の上を歩き回ったり、しゃがんで餌を食べたり、寝転んだりすることができ、また、群れを成す多数の猿等が同時に上面部の上に載って活動することができる。その結果、猿等の警戒心が解かれて猿等が捕獲空間の内部に進入し易くなる。つまり、猿等を安心させて、捕獲空間の内部に導き入れることができ、多数の猿等を効率良く捕獲することができる。
【００１５】
また、前記傾斜板ユニットは、前記上面部の前記捕獲空間側の端部近傍から前記柵ユニットに向かって斜め下方に延在して前記柵ユニットに達する平滑板状の傾斜部を有する。この平滑板状の傾斜部によって、捕獲空間に進入した猿が柵ユニットの上部を乗り越えて外部に逃げてしまうことを防止することができる。即ち、捕獲空間側に臨む傾斜部の面は、斜め下を向き平滑であるので、猿等が手を掛けても滑ってしまう。そのため、猿等は、たとえ柵ユニットをよじ登ったとしても、傾斜部を超えてその上の上面部に登ることはできない。
【００１６】
また、傾斜部は、その下端が柵ユニットに達するよう設けられるので、特許文献１に記載された従来技術のように、側面部とその上部の傾斜部及び垂れ壁で囲まれた空間に猿等が入り込んでしまうことがない。つまり、本発明の動物捕獲装置では、柵ユニットの上部と、上面部と、傾斜部と、の間に形成される空間に、猿等が逃げ込むことがない。よって、捕獲空間内に進入した猿等を作業員が捕獲する作業が容易になる。
【００１７】
また、本発明の動物捕獲装置によれば、前記上面部と前記傾斜部は、前記捕獲空間側の端部近傍において連続しても良い。例えば、上面部の捕獲空間側の端部近傍において、上面部と傾斜部は、連続する１枚の鋼板等から曲折形成されても良い。これにより、猿等の動物が前記端部に手を掛け難くなり、また、手を掛けても滑り易くなり、動物の脱出を防止する機能を高めることができる。
【００１８】
また、本発明の動物捕獲装置によれば、前記傾斜板ユニットは、前記柵ユニット若しくは前記柵ユニットを支える支柱の上端近傍に取り外し可能の取り付けられるフレームを有し、前記上面部及び前記傾斜部は、前記フレームに固定されていても良い。これにより、傾斜板ユニットを柵ユニットに取り付ける作業及び取り外す作業が容易になり、動物捕獲装置の設置や撤去が容易になる。また、傾斜板ユニットを取り外すことにより、柵ユニットを、地面上のみを移動範囲とする、例えば、鹿や猪等の獣類を捕獲するため若しくは進入を防止するための柵として利用することもできる。
【００１９】
また、本発明の動物捕獲装置によれば、前記傾斜板ユニットは、前記傾斜部の下端から前記柵ユニットに沿って下方に延在する平滑板状の側面部を有しても良い。これにより、猿等の動物が柵ユニットの上部によじ登ることを阻止して、脱出防止効果を高めると共に、作業員による捕獲作業を容易化することができる。
【００２０】
また、本発明の動物捕獲装置によれば、側面及び上面が柵で囲まれることによって形成されて前記捕獲空間に扉を介してつながる追込空間を有しても良い。これにより、捕獲空間内を逃げ回る動物を追込空間に誘導して、過度に傷つけ衰退させることなく効率的に捕獲することができる。
【図面の簡単な説明】
【００２１】
【図１】本発明の実施形態に係る動物捕獲装置の（Ａ）平面図、（Ｂ）正面図である。
【図２】本発明の実施形態に係る動物捕獲装置の柵ユニットの正面図である。
【図３】本発明の実施形態に係る動物捕獲装置の柵の概略構成を示す側面図である。
【図４】本発明の実施形態に係る動物捕獲装置の傾斜板ユニットの透視図である。
【図５】本発明の実施形態に係る動物捕獲装置の板状体の構成を示す傾斜板ユニットの分解側面図である。
【図６】本発明の実施形態に係る動物捕獲装置の柵の使用状況を示す側面図である。
【図７】本発明の実施形態に係る動物捕獲装置の（Ａ）連結金具、（Ｂ）連結金具の使用例を示す図である。
【図８】本発明の実施形態に係る動物捕獲装置の（Ａ）支柱の支持方法の例、（Ｂ）支柱の支持方法の他の例を示す図である。
【発明を実施するための形態】
【００２２】
以下、本発明の実施形態に係る動物捕獲装置を図面に基づき詳細に説明する。
図１（Ａ）は、本発明の実施形態に係る動物捕獲装置１の概略を示す平面図であり、図１（Ｂ）は、動物捕獲装置１の正面図である。
動物捕獲装置１は、農作物等に被害をもたらす害獣等を捕獲するための装置であり、特に、猿等のように樹上を移動できる動物を捕獲するものである。
【００２３】
図１（Ａ）及び（Ｂ）に示すように、動物捕獲装置１は、設置面となる地面ＧＬに立設されて互いに連結される複数の柵ユニット１０を有する。柵ユニット１０は、例えば、平面視で略矩形状に並べられて連結される。これにより、柵ユニット１０で構成される柵によって周囲を取り囲まれて、地面ＧＬの上方に、上方が開放された捕獲空間２が形成される。捕獲空間２の上部の開口は、猿等の動物が捕獲空間２へと進入する進入口となる。また、捕獲空間２を取り囲む柵には、作業者が捕獲空間２に出入りするための扉８が設けられる。
【００２４】
捕獲空間２を取り囲む柵の上端近傍には、捕獲空間２の進入口となる開口の周囲縁部を取り囲むように、傾斜板ユニット２０が取り付けられる。傾斜板ユニット２０は、略水平な上面部２２と、柵ユニット１０に向かって斜め下方に傾斜する傾斜部２３と、略垂直な側面部２４と、有する。詳細については、後述する。
【００２５】
また、捕獲空間２に隣接して、捕獲空間２につながる追込空間３が形成される。追込空間３は、側面及び上面が柵ユニット１０で構成される柵で囲まれることによって形成される周囲が閉鎖された空間である、なお、捕獲空間２と追込空間３との間には、開閉自在な扉が設けられる。このような追込空間３が形成されることにより、作業者は、捕獲空間２内に進入した動物を追込空間３内に誘導して容易に捕獲することができる。
【００２６】
図２は、柵ユニット１０の正面図である。図２に示すように、柵ユニット１０は、略四角形状の支持枠１１と、支持枠１１によって固定される金網１２と、を有する。支持枠１１は、例えば、それぞれ鋼管等から形成される一対の縦辺１１ａと、一対の横辺１１ｂと、を有し、溶接等によって組み立てられている。金網１２は、例えば、鋼線等から曲折形成され、金網１２の周囲縁部は、支持枠１１に設けられる固定爪に引っ掛けられて固定される。なお、支持枠１１や金網１２には、亜鉛メッキや塗装が施されても良い。
【００２７】
柵ユニット１０の大きさは、例えば、縦１８００ｍｍ、横１８００ｍｍ、若しくは縦９００ｍｍ、横１８００ｍｍ等である。このような構成の柵ユニット１０を複数個並べて、支持枠１１の縦辺１１ａ同士をクランプ等の連結金具１６（図３参照）等によって互いに連結して支柱１５（図１参照）に固定することによって動物捕獲装置１（図１参照）が組み立てられる。このような構成の柵ユニット１０を用いることにより、柵ユニット１０の取り扱いが容易になり、柵ユニット１０の輸送や設置現場における動物捕獲装置１の組み立て作業が容易になる。
【００２８】
なお、図１（Ｂ）に示すように、柵を構成する柵ユニット１０は、上下方向に複数並べられても良い。即ち、柵の下段を構成する柵ユニット１０Ａの上方に、柵の上段を構成する柵ユニット１０Ｂが連結されても良い。これにより、柵ユニット１０の大きさを小さくして、輸送時等の取り扱いを容易にしつつ、動物の脱出を防止するために必要な高さの柵を容易に形成することができる。
【００２９】
図３は、動物捕獲装置１の捕獲空間２を取り囲む柵の概略構成を示す側面図である。図３に示すように、柵ユニット１０を支える支柱１５は、地面ＧＬに立設される。具体的には、支柱１５の下端近傍が地中に埋設される。なお、支柱１５を設置する方法は、地面ＧＬに穴を掘って支柱１５を立てた後に埋め戻す方法や、支柱１５を地面ＧＬに打ち込む方法等を採用可能であり、設置の作業は容易である。
【００３０】
柵ユニット１０は、前述のとおり、連結金具１６を用いて固定される。詳しくは、連結金具１６は、支柱１５を挟むクランプ部と、隣接する柵ユニット１０の縦辺１１ａ同士を共締めによって挟持する柵ユニット固定部と、を有する。そして、前記クランプ部及び前記柵ユニット固定部をそれぞれ固定するためのねじ等の締結具を締め付けることにより、柵ユニット１０同士が連結され、且つ柵ユニット１０と支柱１５が固定される。このような構成により、柵ユニット１０の取り付け及び取り外しが容易になる。なお、柵ユニット１０同士の連結、及び柵ユニット１０と支柱１５との連結は、例えば、鋼線等を縦辺１１ａや支柱１５に巻き付けて締め上げる方法等によっても良い。
【００３１】
また、上記の連結金具１６による固定に加えて、支柱１５を固定するクランプ部を備えず柵ユニット１０の縦辺１１ａ同士のみを連結する図示しない連結金具等を用いて、隣接する柵ユニット１０同士が連結されても良い。
また、下段に配設される柵ユニット１０Ａと、その上段に配設される柵ユニット１０Ｂは、連結金具３０によって連結される。連結金具３０の詳細については、後述する。
【００３２】
柵の上端近傍、即ち、最上段の柵ユニット１０Ｂの上端近傍には、前述のとおり、傾斜板ユニット２０が取り付けられる。傾斜板ユニット２０は、柵ユニット１０の上端近傍から捕獲空間２側に向かって略水平に延在する略平滑板状の上面部２２を有する。即ち、捕獲空間２の入口縁部に、猿等の動物が歩き易い略平坦で所定の面積を有する上面部２２が形成される。
【００３３】
また、傾斜板ユニット２０は、上面部２２の捕獲空間２側の端部２９近傍から柵ユニット１０に向かって斜め下方に延在して柵ユニット１０に達する略平滑板状の傾斜部２３を有する。この略平滑板状の傾斜部２３よって、捕獲空間２に進入した猿が柵ユニット１０の上部を乗り越えて外部に逃げてしまうことを防止することができる。
【００３４】
また更に、傾斜板ユニット２０は、傾斜部２３の下端から柵ユニット１０に沿って下方に延在する略平滑板状の側面部２４を有する。これにより、猿等の動物が柵ユニット１０の上部によじ登ることを阻止して、脱出防止効果を高めることができる。
【００３５】
また、傾斜板ユニット２０は、柵ユニット１０若しくは柵ユニット１０を支える支柱１５の上端近傍に取り外し可能の取り付けられるフレーム２１を有する。前述の上面部２２、傾斜部２３及び側面部２４は、フレーム２１に予め固定されている。
【００３６】
図４は、傾斜板ユニット２０の透視図である。図４に示すように、フレーム２１は、傾斜板ユニット２０の骨格を成す部材であり、例えば、アルミニウム押し出し材等から構成され、溶接等によって一体的に組み立てられている。
【００３７】
フレーム２１には、略水平な水平支持部２１ａと、一端が水平支持部２１ａにつながり捕獲空間２側から外部側に向かって下降傾斜する傾斜支持部２１ｂと、水平支持部２１ａと傾斜支持部２１ｂをつなぐ略垂直な垂直支持部２１ｃと、が形成される。即ち、フレーム２１は、側面視で略三角形状の骨格構造を有する。これにより、フレーム２１は、軽量且つ高強度になる。
【００３８】
水平支持部２１ａは上面部２２を支持する部分であり、傾斜支持部２１ｂは傾斜部２３を支持する部分である。垂直支持部２１ｃは、側面部２４を支持すると共に、傾斜板ユニット２０を柵ユニット１０（図３参照）等に固定して支持する部分である。
【００３９】
水平支持部２１ａには上面部２２を構成する板状体２７が取り付けられ、傾斜支持部２１ｂには傾斜部２３を構成する板状体２７が取り付けられ、垂直支持部２１ｃには側面部２４を構成する板状体２７が取り付けられる。板状板２７とフレーム２１との固定は、例えば、リベット等の締結部材による。
【００４０】
板状体２７は、表面が滑らかな略板状の部材であり、例えば、亜鉛メッキ鋼鈑や塗装鋼鈑等である。このように、表面が滑らかな板状体２７によって傾斜部２３及び側面部２４が形成されることにより、猿等の動物が手を掛けても滑り易くなり、傾斜板ユニット２０による脱出を防止する効果を高めることができる。
【００４１】
垂直支持部２１ｃは、前述のとおり、傾斜板ユニット２０を柵ユニット１０や支柱１５（図３参照）に固定するための部分であり、垂直支持部２１ｃの上端近傍には、柵ユニット１０等に連結される接続管２５が設けられている。接続管２５は、例えば、アルミニウム等から形成される略管状の部材であり、図３に示すように、柵ユニット１０の支持枠１１から上方に延設される縦辺１１ａの上端部に嵌合する。また、支柱１５を挟持するクランプ部を備えた連結金具１７によって、接続管２５と支柱１５が取り外し可能に固定される。
【００４２】
他方、図４に示す如く、垂直支持部２１ｃの下端近傍には、フレーム２１を柵ユニット１０に固定するために、所定形状の固定部２１ｄが形成される。図３に示すように、固定部２１ｄは、例えば、クランプ等の連結金具２８によって、柵ユニット１０の縦辺１１ａに共締めされて取り外し可能に固定される。
【００４３】
上記のように、傾斜板ユニット２０は、柵ユニット１０及び支柱１５の上端近傍に着脱自在に取り付けられるフレーム２１を骨格として予めユニット化されているので、傾斜板ユニット２０を柵ユニット１０に取り付ける作業及び取り外す作業は容易である。即ち、柵ユニット１０の上部に、猿等の進入を容易にし、且つ脱出を防止するための上面部２２、傾斜部２３及び側面部２４を容易に設けることができ、これにより、動物捕獲装置１の設置や撤去が容易になる。また、傾斜板ユニット２０を取り外すことにより、柵ユニット１０から構成される柵を、地面ＧＬ上のみを移動範囲とする、例えば、鹿や猪等の獣類を捕獲するため若しくは進入を防止するための柵として利用することもできる。
【００４４】
図５は、板状体２７の構成を示す傾斜板ユニット２０の分解側面図である。図５に示すように、上面部２２、傾斜部２３及び側面部２４を構成する板状体２７は、少なくとも上面部２２の捕獲空間２側の端部２９近傍において、上面部２２から傾斜部２３に滑らかに連続するよう、例えば、所定の曲率で略円弧状に曲折形成されている。これにより、端部２９近傍が滑り易くなり、猿等の動物が端部２９に手を掛け難くなる。よって、猿等の脱出を阻止することができる。
【００４５】
なお、上面部２２、傾斜部２３及び側面部２４は、連続する１枚の板状体２７から曲折形成されても良いし、複数枚の板状体２７を組み合わせることにより形成されても良い。複数枚の板状体２７を組み合わせて傾斜部２３等が形成される場合には、図５に示すＸ部のように、上方の板状体２７ａとその下方の板状体２７ｂの隣り合う縁部近傍に、重なり部が設けられることが望ましい。そして、当該重なり部において、下方の板状体２７ｂがフレーム２１側に、上方の板状体２７ａがフレーム２１に対して外側、即ち捕獲空間２側に配置される。このような構成により、上下の板状体２７ａ、２７ｂの接続部近傍に、猿等の動物が指や爪を掛ける隙間や段差等が形成されず、脱出防止の効果が高められる。
【００４６】
次に、上記のように構成された動物捕獲装置１の柵について、図６等を参照して、その使用の態様及び効果を説明する。
図６は、動物捕獲装置１の柵の使用状況を示す側面図である。
【００４７】
図６に示すように、動物捕獲装置１では、捕獲空間２を取り囲む柵の上端近傍に略平滑板状の上面部２２が形成される。即ち、上面部２２は、捕獲空間２の入口縁部に設けられ、猿等の動物Ｚが歩き易いように略平坦で所定の面積を有する。これにより、猿等の動物Ｚは、上面部２２の上を歩き回ったり、しゃがんで餌を食べたり、寝転んだりすることができ、また、群れを成す多数の動物Ｚが同時に上面部２２の上に載って活動することができる。その結果、動物Ｚの警戒心が解かれて、矢印Ａで示すように、動物Ｚが捕獲空間２の内部に進入し易くなる。つまり、動物Ｚを安心させて、捕獲空間２の内部に導き入れることができ、多数の動物Ｚを効率良く捕獲することができる。
【００４８】
また、前述のとおり、傾斜板ユニット２０は、上面部２２の端部２９近傍から斜め下方に延在して柵ユニット１０に達する略平滑板状の傾斜部２３を有する。この傾斜部２３によって、捕獲空間２に進入した猿等の動物Ｚが柵ユニット１０の上部を乗り越えて外部に逃げてしまうことを防止することができる。即ち、捕獲空間２側に臨む傾斜部２３の面は、斜め下を向き平滑であるので、動物Ｚが手を掛けても滑ってしまう。そのため、動物Ｚは、たとえ柵ユニット１０をよじ登ったとしても、傾斜部２３を超えてその上の上面部２２に登ることはできない。
【００４９】
なお、捕獲空間２内に進入した猿等の動物Ｚが捕獲空間２内の地面ＧＬから直接的に柵ユニット１０の上部を飛び越えないように、柵の高さＨ１は、２．５ｍから３ｍ程度に設定されることが望ましい。
【００５０】
また、傾斜部２３は、その下端が柵ユニット１０に達するよう設けられるので、柵ユニット１０の上部と、上面部２２と、傾斜部２３と、の間に形成される空間に、動物Ｚが逃げ込むことがない。即ち、動物Ｚは作業員Ｙの手や捕獲用具等が届き難い柵ユニット１０の上部に留まることができない。これにより、捕獲空間２に進入した動物Ｚを作業員Ｙが捕獲する作業が容易になる。
【００５１】
また更に、傾斜部２３の下端からは、柵ユニット１０に沿って下方に延在する略平滑板状の側面部２４が設けられる。そのため、側面部２４によって、矢印Ｂで示すように、猿等の動物Ｚが柵ユニット１０の上部によじ登ることを阻止して、脱出防止効果を高めることができる。また、動物Ｚは、高さＨ２で示す側面部２４の下端よりも高い位置に留まることができない。高さＨ２は、作業員Ｙの手や捕獲用具等が届き易い高さであり、例えば、１．５ｍから２．５ｍ程度である。これにより、作業員Ｙによる捕獲作業を容易化することができる。
【００５２】
また、図１（Ａ）及び（Ｂ）に示すように、動物捕獲装置１は、捕獲空間２につながる追込空間３を有するので、捕獲空間２内を逃げ回る動物を追込空間３に誘導して、過度に傷つけ衰退させることなく効率的に捕獲することができる。
【００５３】
なお、追込空間３の周囲を囲む柵には、追込空間３を覆って周囲からの視線を遮るカバー等が設けられても良く、これにより、動物を安心させて、追込空間３の内部に誘導し易くなる。
【００５４】
次に、柵ユニット１０の連結方法の一例として、連結金具３０及びそれを用いた連結方法について詳細に説明する。
図７（Ａ）は、連結金具３０を示す図であり、図７（Ｂ）は、連結金具３０の使用例を示す図である。図７（Ｂ）に示すように、連結金具３０は、上下及び左右に並ぶ柵ユニット１０を連結するものである。
【００５５】
図７（Ａ）に示すように、連結金具３０は、亜鉛メッキ鋼材等から形成され、略板状の基部３１と、基部３１の両面側にそれぞれ突設される略円管状の一対の嵌合軸３２と、を有する。具体的には、基部３１の一方の面、例えば、使用される際に下方を向く面には、互いに平行な一対の嵌合軸３２ａ、３２ｂが設けられ、基部３１の他方の面、即ち使用される際に上方を向く面には、互いに平行な一対の嵌合軸３２ｃ、３２ｄが設けられる。下方を向く一方の嵌合軸３２ａは、上方を向く一方の嵌合軸３２ｃと同軸であり、下方を向く他方の嵌合軸３２ｂは、上方を向く他方の嵌合軸３２ｄと同軸である。
【００５６】
なお、基部３１と嵌合軸３２は、例えば、溶接等によって固定され、基部３１の一方の面の嵌合軸３２ａ、３２ｂと、他方の面の嵌合軸３２ｃ、３２ｄとは、それぞれ別々の部材から構成されても良い。また、基部３１に貫通孔を形成し、該貫通孔に一方の面から他方の面に連続する嵌合軸３２ａ、３２ｃ及び嵌合軸３２ｂ、３２ｃを挿通して固定する構成でも良い。
【００５７】
図７（Ｂ）に示すように、連結金具３０の一方の面から突設される嵌合軸３２は、例えば、下段に配置される柵ユニット１０Ａの縦辺１１ａの上端に挿入され、他方の面から突設される嵌合軸３２は、上段に配置される柵ユニット１０Ｂの縦辺１１ａの下端に挿入される。これにより、上下及び左右の柵ユニット１０を容易且つ安定的に固定することができ、動物捕獲装置１の設置作業及び撤去作業の効率を高めることができる。
【００５８】
次に、図８（Ａ）及び（Ｂ）を参照して、支柱１５の支持方法の変形例について詳細に説明する。
図８（Ａ）は、支柱１５の支持方法の例を示す図である。図８（Ａ）に示すように、例えば、略三角形状等に組まれた支持部材３５を用いて、地面ＧＬに立設された支柱１５を補助的に支えても良い。このような支持部材３５を用いることにより、支柱１５を強固に支持することができ、強風や動物が暴れること等による動物捕獲装置１の柵の倒壊等を防ぐことができる。
【００５９】
支持部材３５は、例えば、亜鉛メッキ鋼材等から形成され、溶接等によって予め組み立てられている。そして、支持部材３５は、支柱１５に沿うように地面ＧＬ上に配置され、杭３７等によって固定される。また、支持部材３５と支柱１５は、クランプ等の連結金具３６を用いて取り外し可能に固定される。よって、支持部材３５の設置及び取り外しは容易である。
【００６０】
図８（Ｂ）は、支柱１５の支持方法の他の例を示す図である。図８（Ｂ）に示すように、支柱１５は、地面ＧＬ上に設置されるベース部材４０の上に立設される構成でも良い。ベース部材４０は、例えば、亜鉛メッキ鋼材等から形成され、地面ＧＬ上に配置される略平棒状の基部４１と、基部４１の上面から突設される略円管状の嵌合軸４２と、を有する。嵌合軸４２は、複数設けられ、互いに平行に、詳しくは、略垂直に、所定の間隔で配置されている。なお、基部４１と嵌合軸４２は、例えば、溶接等によって固定されている。
【００６１】
上記のように構成されたベース部材４０が地面ＧＬ上に配置され、杭３７等で固定された後、ベース部材４０の嵌合軸４２に支柱１５の下端が嵌め込まれて支柱１５が立てられる。これにより、地面ＧＬに支柱１５の下端を埋設するための穴等を掘る必要もなく、支柱１５を所定の間隔で効率良く立設することができる。また、撤去作業も容易である。なお、ベース部材４０の嵌合軸４２に柵ユニット１０（図２参照）の縦辺１１ａ（図２参照）の下端を嵌合させて、ベース部材４０で柵ユニット１０を支える構成を採用することも可能である。
【００６２】
なお、本発明は、上記実施形態に限定されるものではなく、その他、本発明の要旨を逸脱しない範囲で、種々の変更実施が可能である。
【符号の説明】
【００６３】
１      動物捕獲装置
２      捕獲空間
３      追込空間
７      扉
８      扉
１０    柵ユニット
１１    支持枠
１２    金網
１５    支柱
２０    傾斜板ユニット
２１    フレーム
２２    上面部
２３    傾斜部
２４    側面部
２７    板状体
２９    端部
３０    連結金具
３５    支持部材
４０    ベース部材
ＧＬ    地面
【図１】
2018007596.tif 000003
【図２】
2018007596.tif 000004
【図３】
2018007596.tif 000005
【図４】
2018007596.tif 000006
【図５】
2018007596.tif 000007
【図６】
2018007596.tif 000008
【図７】
2018007596.tif 000009
【図８】
2018007596.tif 000010